(57)【要約】【課題】  液晶等の電気光学装置において、例えば各ブロックの境目で輝度ムラが発生するのを防止して、高品質な画像表示を行う。【解決手段】  電気光学装置は、複数の走査線及び複数のデータ線と、複数の画素部と、複数のデータ線を、Ｎ本のデータ線を１群とするデータ線群毎に駆動するためにＮ個のシリアル−パラレル変換された画像信号が供給されると共に、並走する配線部分を含むＮ本の画像信号線とを備える。更に、該Ｎ本の画像信号線から夫々供給される画像信号を、データ線群毎にデータ線に供給する画像信号供給部と、少なくとも並走する配線部分においてＮ本の画像信号線の束のうち外側に位置する画像信号線の更に外側に、並走する配線部分に沿って配線されており、画像信号線を模擬するダミー画像信号線とを備える。【選択図】  図６
2006267796.tif 000002
【特許請求の範囲】
【請求項１】
基板上の画像表示領域に配線された複数の走査線及び複数のデータ線と、
前記走査線及び前記データ線の交差に対応して設けられた複数の画素部と、
前記複数のデータ線を、Ｎ本の前記データ線を１群とするデータ線群毎に駆動するためにＮ（但し、Ｎは２以上の自然数）個のシリアル−パラレル変換された画像信号が供給されると共に、並走する配線部分を含むＮ本の画像信号線と、
該Ｎ本の画像信号線から夫々供給される前記画像信号を、前記データ線群毎に前記データ線に供給する画像信号供給部と、
少なくとも前記並走する配線部分において前記Ｎ本の画像信号線の束のうち外側に位置する画像信号線の更に外側に、前記並走する配線部分に沿って配線されており、前記画像信号線を模擬するダミー画像信号線と
を備えたことを特徴とする電気光学装置。
【請求項２】
前記画像信号供給部は、
前記画像信号を、サンプリング信号に応じて前記データ線に夫々供給する複数のサンプリングスイッチを含むサンプリング回路と、
前記データ線群に対応する前記サンプリングスイッチ毎に、前記サンプリング信号を順次供給するデータ線駆動回路と
を含むことを特徴とする請求項１に記載の電気光学装置。
【請求項３】
前記基板上に、前記Ｎ本の画像信号線の入力側の端部及び前記ダミー画像信号線の入力側の端部が夫々接続された複数の外部回路接続端子を更に備えており、
前記Ｎ本の画像信号線には、前記外部回路接続端子を介して外部回路から、前記画像信号が夫々供給され、
前記ダミー画像信号線には、前記外部回路接続端子を介して前記外部回路から、前記外側の画像信号線に供給される画像信号とは異なるダミー画像信号が供給される
ことを特徴とする請求項１又は２に記載の電気光学装置。
【請求項４】
前記異なるダミー画像信号は、前記外側の画像信号線以外の画像信号線のいずれかに供給される画像信号と同一の周期及び振幅を有することを特徴とする請求項３に記載の電気光学装置。
【請求項５】
前記基板上に、前記Ｎ本の画像信号線の入力側の端部が夫々電気的に接続された複数の外部回路接続端子を更に備えており、
前記Ｎ本の画像信号線には、前記外部回路接続端子を介して外部回路から、前記画像信号が夫々供給され、
前記ダミー画像信号線は、前記Ｎ本の画像信号線のうち前記外側の画像信号線を除く画像信号線に電気的に接続されており、
該接続された画像信号線から画像信号が、前記ダミー画像信号線に対してダミー画像信号として供給される
ことを特徴とする請求項１又は２に記載の電気光学装置。
【請求項６】
前記ダミー画像信号線が電気的に接続される画像信号線は、前記ダミー画像信号線の逆側において前記外側の画像信号線に隣接する他の画像信号線であることを特徴とする請求項５に記載の電気光学装置。
【請求項７】
請求項１から６のいずれか一項に記載の電気光学装置を具備してなることを特徴とする電子機器。
【発明の詳細な説明】
【技術分野】
【０００１】
本発明は、例えば液晶装置等の電気光学装置、及びそのような電気光学装置を具備してなる例えば液晶プロジェクタ等の電子機器の技術分野に関する。
【背景技術】
【０００２】
この種の電気光学装置は、一般に、シリアル−パラレル変換された画像信号に基づいて駆動される。例えば、液晶装置において、基板上の画像表示領域に配線された複数のデータ線は所定の本数毎にブロック化されており、シリアル−パラレル変換された画像信号は、ブロック単位で、該ブロックに含まれるデータ線にサンプリングスイッチを介して供給される。これにより、所定の本数のデータ線が同時に、且つ複数のデータ線は所定の本数毎に順次駆動される。この場合、複数の画像信号線は、複数の外部回路接続端子からサンプリングスイッチを含む画像信号供給部に至るまで、基板上で並走するように配線されているのが一般的である。例えば、Ｎ本の画像信号線であれば、第１番目から第Ｎ番目の画像信号線が、他の各種配線と混在することなく一束として、横並びに配線される。
【０００３】
他方で、液晶表示装置では、表示領域端部におけるセルギャップを均一にするために、ダミーの画像信号線が設けられる場合がある。このダミーの画像信号線或いは映像信号線を、共通端子に接続することで一定の電位に固定したり、画素ムラを低減する観点から特定の画像信号線に接続することで特定の画像信号と同電位にするなどの各種技術も提案されている（特許文献１参照）。
【０００４】
【特許文献１】特開２０００−１９５６０号公報
【発明の開示】
【発明が解決しようとする課題】
【０００５】
しかしながら、上述の如きシリアルーパラレル変換された画像信号を用いて、複数の画素が配列されてなる画素アレイ領域或いは画像表示領域において、データ線群に対応するブロック単位で順次駆動を行った場合に、以下のような問題点が生じる。
【０００６】
即ち、並走する複数の画像信号線は、その束において外側以外に位置する一の画像信号線については、該一の画像信号線の両側に他の画像信号線が存在することになる。これに対して、外側に位置する画像信号線については、その片側（即ち内側）にしか他の画像信号線が存在しないことになる。従って、複数の画像信号線間の容量結合を考えた場合には、外側以外に位置する一の画像信号線については、相対的に大きな容量結合により画像信号が劣化することとなる。これに対して、外側に位置する画像信号線については、相対的に小さな容量結合により画像信号が劣化することとなる。即ち、外側以外に位置する画像信号線については、相対的に画像信号の劣化が大きくなり、外側に位置する画像信号線については、相対的に画像信号の劣化が小さくなる。
【０００７】
以上の結果、従来の技術では、シリアル−パラレル変換した画像信号を用いて駆動する際における、複数の画像信号線間の容量結合の差異に起因して各ブロックの境目で輝度ムラが発生するという技術的問題点がある。
【０００８】
尚、シリアルーパラレル変換を用いた場合に、このようなブロック境界で発生する階調ズレに、特許文献１の技術で対応することは、極めて困難或いは不可能である。
【０００９】
本発明は、上記問題点に鑑み成されたものであり、例えば前述したような各ブロックの境目で輝度ムラが発生するのを防止して、高品質な画像表示を行うことが可能な電気光学装置及び該電気光学装置を備えた各種電子機器を提供することを課題とする。
【課題を解決するための手段】
【００１０】
本発明の電気光学装置は上記課題を解決するために、基板上の画像表示領域に配線された複数の走査線及び複数のデータ線と、前記走査線及び前記データ線の交差に対応して設けられた複数の画素部と、前記複数のデータ線を、Ｎ本の前記データ線を１群とするデータ線群毎に駆動するためにＮ（但し、Ｎは２以上の自然数）個のシリアル−パラレル変換された画像信号が供給されると共に、並走する配線部分を含むＮ本の画像信号線と、該Ｎ本の画像信号線から夫々供給される前記画像信号を、前記データ線群毎に前記データ線に供給する画像信号供給部と、少なくとも前記並走する配線部分において前記Ｎ本の画像信号線の束のうち外側に位置する画像信号線の更に外側に、前記並走する配線部分に沿って配線されており、前記画像信号線を模擬するダミー画像信号線とを備える。
【００１１】
本発明の電気光学装置によれば、その駆動時には、シリアル−パラレル変換されたＮ個の画像信号が、例えば外部回路接続端子を介してＮ本の画像信号線に供給され、更に、データ線に対応して配列された中継用配線を含む分岐配線から、例えば画像信号供給部を構成するサンプリング回路へと供給される。例えば、Ｎ個の画像信号は、駆動周波数の上昇を抑えつつ高精細な画像表示を実現すべく、外部回路によって、シリアルな画像信号が、３相、６相、１２相、２４相、・・・など、複数のパラレルな画像信号に変換されることによって生成される。
【００１２】
このような画像信号の供給と並行して、例えば画像信号供給部を構成するデータ線駆動回路によって、データ線群に対応するサンプリングスイッチ毎に、サンプリング信号が順次供給される。すると、例えばサンプリング回路によって、複数のデータ線には、サンプリング信号に応じてデータ線群毎にＮ個の画像信号が順次供給される。よって、同一のデータ線群に属するデータ線は同時に駆動されることとなる。言い換えれば、複数のデータ線は、所定の本数毎にブロック化されており、ブロック単位で、同時に駆動されることとなる。尚、サンプリングスイッチは、例えば、片チャネル型のＴＦＴにより夫々構成され、ソースが中継用配線に電気的に接続され、ドレインがデータ線に接続され、ゲートにサンプリング信号が供給されることでオン状態とされる。
【００１３】
このようにデータ線が駆動されると、各画素部では、例えば、走査線駆動回路から走査線を介して供給される走査信号に応じて、スイッチング動作を行う画素スイッチング素子を介して、データ線より画像信号が表示素子に供給される。
【００１４】
以上の結果、例えば表示素子である液晶素子は、シリアルーパラレル変換された画像信号に基づいて、アクティブマトリクス駆動方式による画像表示を行うことが可能となる。
【００１５】
ここで特に、Ｎ本の画像信号線は、並走する配線部分を含んでいる場合が殆どである。このため、仮に何らの対策も施さねば、Ｎ本の画像信号線の束における外側に位置する画像信号線については、その片側にしか他の画像信号線が存在しないことになる。従って、複数の画像信号線間の容量結合の差異に起因して各ブロックの境目で輝度ムラが発生してしまう。
【００１６】
しかるに本発明の電気光学装置によれば、画像信号線を模擬するダミー画像信号線が、少なくとも並走する配線部分においてＮ本の画像信号線の束のうち外側に位置する画像信号線の更に外側に、並走する配線部分に沿って配線される。ダミー画像信号線は、画像信号線とは異なり、画像信号供給部を介してデータ線に対して画像信号を供給するようには、接続されてない。即ち、ダミー画像信号線は、あくまで画像信号線を模擬するにとどまり、実際に画像表示に供される画像信号を供給することはない。また、ダミー画像信号線は、Ｎ本の画像信号線の束のうち外側である、一方の端から数えて第１番目の画像信号線（即ち、一方の端に最も寄った画像信号線）の外側に少なくとも１本配線される。これに加えて又は代えて、ダミー画像信号線は、一方の端から数えて第Ｎ番目の画像信号線（即ち、他方の端に最も寄った画像信号線）の外側に、少なくとも１本配線される。好ましくは、両方の外側に、少なくとも１本のダミー画像信号線が夫々配線される。
【００１７】
よって、画像信号線の束のうち外側に位置する画像信号線についても、その両側に他の画像信号線（即ち、その内側の画像信号線及びダミー画像信号線）が存在することとなる。これにより、画像信号線の束のうち外側に位置する画像信号線、例えば、一方の端に最も寄った画像信号線とダミー画像信号線との間に、該一方の端に最も寄った画像信号線とその内側の画像信号線との間に生ずる容量結合と、殆ど又は実践的な意味で完全に同じ大きさの容量結合を発生させることができる。即ち、Ｎ本の画像信号線間の容量結合の差異を殆ど又は実践的な意味で完全に無くすことができる。
【００１８】
以上の結果、シリアル−パラレル変換した画像信号を用いて駆動する際における、複数の画像信号線間の容量結合の差異に起因して生じる各画像信号の劣化の程度のばらつきによって、各ブロックの境目で輝度ムラが発生することを防止することができる。
【００１９】
本発明の電気光学装置の一態様では、前記画像信号供給部は、前記画像信号を、サンプリング信号に応じて前記データ線に夫々供給する複数のサンプリングスイッチを含むサンプリング回路と、前記データ線群に対応する前記サンプリングスイッチ毎に、前記サンプリング信号を順次供給するデータ線駆動回路とを含む。
【００２０】
この態様によれば、画像信号供給部を構成するデータ線駆動回路によって、データ線群に対応するサンプリングスイッチ毎に、サンプリング信号が順次供給される。すると、サンプリング回路によって、複数のデータ線には、サンプリング信号に応じてデータ線群毎にＮ個の画像信号が順次供給される。よって、同一のデータ線群に属するデータ線は同時に駆動されることとなる。言い換えれば、複数のデータ線は、所定の本数毎にブロック化されており、ブロック単位で、同時に駆動されることとなる。しかるに本態様によれば、複数の画像信号線間の容量結合の差異に起因して生じる各画像信号の劣化の程度のばらつきによって、各ブロックの境目で輝度ムラが発生することを、ダミー画像信号線によって一層有効にすることができる。
【００２１】
本発明の電気光学装置の他の態様では、前記基板上に、前記Ｎ本の画像信号線の入力側の端部及び前記ダミー画像信号線の入力側の端部が夫々接続された複数の外部回路接続端子を更に備えており、前記Ｎ本の画像信号線には、前記外部回路接続端子を介して外部回路から、前記画像信号が夫々供給され、前記ダミー画像信号線には、前記外部回路接続端子を介して前記外部回路から、前記外側の画像信号線に供給される画像信号とは異なるダミー画像信号が供給される。
【００２２】
この態様によれば、外部回路から外部回路接続端子を介して、外側の画像信号線に供給される画像信号とは異なるダミー画像信号が、ダミー画像信号線に供給される。即ち、外側の画像信号線とダミー画像信号線の夫々の電位は相異する。よって、外側の画像信号線とダミー画像信号線との間に、外側の画像信号線に供給される画像信号と同じダミー画像信号をダミー画像信号線に供給した場合と比較して、容量結合を殆ど確実に発生させることができる。従って、ダミー画像信号線によって画像信号線を模擬することができる。
【００２３】
上述した異なるダミー画像信号を供給する態様では、前記異なるダミー画像信号は、前記外側の画像信号線以外の画像信号線のいずれかに供給される画像信号と同一の周期及び振幅を有してもよい。
【００２４】
この場合、ダミー画像信号線には、前記外側の画像信号線以外の画像信号線のいずれかに供給される画像信号と同一の周期及び振幅を有するダミー画像信号が供給される。この際、同一の周期及び振幅であれば即ち波形が同一であれば、位相については、異なっていてもよいし、同一であってもよい。よって、ダミー画像信号線と外側の画像信号線との間に、外側の画像信号線と隣接する画像信号線との間の容量結合と殆ど又は完全に同じ容量結合を発生させることができる。従って、ダミー画像信号線によって画像信号線を模擬することができる。
【００２５】
本発明の電気光学装置の他の態様では、前記基板上に、前記Ｎ本の画像信号線の入力側の端部が夫々電気的に接続された複数の外部回路接続端子を更に備えており、前記Ｎ本の画像信号線には、前記外部回路接続端子を介して外部回路から、前記画像信号が夫々供給され、前記ダミー画像信号線は、前記Ｎ本の画像信号線のうち前記外側の画像信号線を除く画像信号線に電気的に接続されており、該接続された画像信号線から画像信号が、前記ダミー画像信号線に対してダミー画像信号として供給される。
【００２６】
この態様によれば、Ｎ本の画像信号線のうち外側の画像信号線を除く画像信号線から画像信号が、ダミー画像信号線に対してダミー画像信号として供給される。よって、ダミー画像信号線と外側の画像信号線との間に、外側の画像信号線と隣接する画像信号線との間の容量結合と殆ど又は完全に同じ容量結合を発生させることができる。従って、Ｎ本の画像信号線間の容量結合の差異を殆ど又は実践的な意味で完全に無くすことができる。更に、外部回路からＮ個の画像信号とは別にダミー画像信号を供給するための外部回路接続端子を設ける必要がないので、基板上の面積を有効に活用することもできる。
【００２７】
上述したダミー画像信号線が外側の画像信号線を除く画像信号線に電気的に接続された態様では、前記ダミー画像信号線が電気的に接続される画像信号線は、前記ダミー画像信号線の逆側において前記外側の画像信号線に隣接する他の画像信号線であってもよい。
【００２８】
この場合、ダミー画像信号線は、該ダミー画像信号線の逆側において外側の画像信号に隣接する他の画像信号線と電気的に接続される。よって、隣接する他の画像信号線より内側の画像信号線と電気的に接続する場合と比較して、ダミー画像信号線と交差する画像信号線の本数を少なくすることができる。即ち、配線の複雑化を招かない。更に、複数の画像信号線間で、容量結合のばらつきが発生することを防止できる。
【００２９】
本発明の電子機器は上記課題を解決するために、上述した本発明の電気光学装置（但し、その各種態様も含む）を具備する。
【００３０】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてＤＬＰ（Digital Light Processing）等を実現することも可能である。
【００３１】
本発明のこのような作用及び他の利得は次に説明する実施の形態から明らかにされる。
【発明を実施するための最良の形態】
【００３２】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
【００３３】
（第１実施形態）
第１実施形態に係る液晶装置について、図１から図６を参照して説明する。
【００３４】
先ず、図１及び図２を参照して、本実施形態に係る液晶装置における、電気光学パネルの一例としての液晶パネルの全体構成について、説明する。ここに図１は、本実施形態に係る液晶パネルの構成を示す平面図であり、図２は、図１のＨ−Ｈ’線での断面図である。
【００３５】
図１及び図２において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００３６】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、本発明に係る「画像信号供給部」の一例を構成する、データ線駆動回路１０１及び外部回路接続端子１０２がＴＦＴアレイ基板１０の一辺に沿って設けられている。この一辺に沿ったシール領域よりも内側に、本発明に係る「画像信号供給部」の一例を構成する、サンプリング回路２００が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３７】
ＴＦＴアレイ基板１０上には、外部回接続端子１０２と、データ線駆動回路１０１、走査線駆動回路１０４、上下導通端子１０６等とを電気的に接続するための引回配線９０が形成されている。本実施形態では特に、引回配線９０には、後述するダミー画像信号線が含まれている。
【００３８】
図２において、ＴＦＴアレイ基板１０上には、駆動素子である画素スイッチング用のＴＦＴ（Thin Film Transistor）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００３９】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００４０】
次に、液晶装置の全体構成について図３及び図４を参照して説明する。ここに、図３は、液晶装置の全体構成を示すブロック図であり、図４は、液晶パネルの電気的な構成を示すブロック図である。
【００４１】
図３に示すように、液晶装置は、液晶パネル１００を備えると共に、外部回路として設けられた画像信号供給回路３００、タイミング制御回路４００、電源回路７００及びダミー画像信号供給回路５００を備える。
【００４２】
タイミング制御回路４００は、各部で使用される各種タイミング信号を出力するように構成されている。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。
【００４３】
画像信号供給回路３００には、外部から１系統の入力画像データＶＩＤが入力される。画像信号供給回路３００は、１系統の入力画像データＶＩＤをシリアル−パラレル変換して、Ｎ相、本実施形態では６相（Ｎ＝６）の画像信号ＶＩＤ１〜ＶＩＤ６を生成する。更に、画像信号供給回路３００において、画像信号ＶＩＤ１〜ＶＩＤ６の各々の電圧が、所定の基準電位に対して正極性及び負極性に反転され、このように極性反転された画像信号ＶＩＤ１〜ＶＩＤ６が出力されるようにしてもよい。
【００４４】
また、電源回路７００は、所定の共通電位ＬＣＣの共通電源を、図２に示す対向電極２１に供給する。本実施形態において、対向電極２１は、図２に示す対向基板２０の下側に、複数の画素電極９ａと対向するように形成されている。
【００４５】
ダミー画像信号供給回路５００は、例えば、画像信号ＶＩＤ１〜ＶＩＤ６のいずれか一つと殆ど又は完全に同じ振幅及び周期を有するダミー画像信号ＶＩＤｄ１及びＶＩＤｄ２を生成し、外部回路接続端子１０２（図１参照）を介して、後述するダミー画像信号線に供給する。尚、ダミー画像信号は、画像信号ＶＩＤ１〜ＶＩＤ６と異なってもよい。また、ダミー画像信号が１個或いは３個以上生成され、対応する１本或いは３本以上のダミー画像信号線に供給されてもよい。
【００４６】
次に、液晶パネル１００における電気的な構成について説明する。
【００４７】
図４に示すように、液晶パネル１００には、そのＴＦＴアレイ基板１０の周辺領域に、走査線駆動回路１０４、データ線駆動回路１０１、サンプリング回路２００を含む内部駆動回路が設けられている。尚、図４では、引回配線９０を、電気的な接続関係を分かりやすく説明するために概ねストライプ状に示している。しかし、その実際の平面レイアウト或いは配線レイアウトは、後に示すように、より複雑な引回形状をしている（図１及び図６参照）。
【００４８】
走査線駆動回路１０４には、Ｙクロック信号ＣＬＹ、反転Ｙクロック信号ＣＬＹｉｎｖ、及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１、・・・、Ｙｍを順次生成して出力する。
【００４９】
データ線駆動回路１０１には、Ｘクロック信号ＣＬＸ、反転Ｘクロック信号ＣＬＸｉｎｖ、及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｎを順次生成して出力する。
【００５０】
サンプリング回路２００は、Ｐチャネル型又はＮチャネル型の片チャネル型ＴＦＴ、若しくは相補型のＴＦＴから構成されたサンプリングスイッチ２０２を複数備える。
【００５１】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ、及び画素電極９ａをスイッチング制御するためのＴＦＴ１１６を備える。尚、本実施形態では特に、走査線１１２の総本数をｍ本（但し、ｍは２以上の自然数）とし、データ線１１４の総本数をｎ本（但し、ｎは２以上の自然数）として説明する。
【００５２】
６相にシリアル−パラレル展開された画像信号ＶＩＤ１〜ＶＩＤ６は、Ｎ本、本実施形態では６本の画像信号線１７１を介して液晶パネル１００に供給される。そして、ｎ本のデータ線１１４は、以下に説明するように、画像信号線１７１の本数に対応する１２本のデータ線１１４を１群とするデータ線群毎に、順次駆動される。
【００５３】
データ線駆動回路１０１から、データ線群に対応するサンプリングスイッチ２０２毎にサンプリング信号Ｓｉ（ｉ＝１、２、・・・、ｎ）が順次供給され、サンプリング信号Ｓｉに応じて各サンプリングスイッチ２０２はオン状態となる。各サンプリングスイッチ２０２は、分岐配線１７３を介して画像信号線１７１に接続されている。
【００５４】
よって、６本の画像信号線１７１から画像信号ＶＩＤ１〜ＶＩＤ６が、オン状態となったサンプリングスイッチ２０２を介して、データ線群に属するデータ線１１４に同時に、且つデータ線群毎に順次供給される。よって、データ線群に属するデータ線１１４は互いに同時に駆動されることとなる。従って、本実施形態では、ｎ本のデータ線１１４をデータ線群毎に駆動するため、駆動周波数が抑えられる。
【００５５】
図４中、一つの画素部７０の構成に着目すれば、ＴＦＴ１１６のソース電極には、画像信号ＶＩＤｋ（但し、ｋ＝１、２、３、・・・、６）が供給されるデータ線１１４が電気的に接続されている一方、ＴＦＴ１１６のゲート電極には、走査信号Ｙｊ（但し、ｊ＝１、２、３、・・・、ｍ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００５６】
走査線駆動回路１０４から出力される走査信号Ｙ１、・・・、Ｙｍによって、各走査線１１２は線順次に選択される。選択された走査線１１２に対応する画素部７０において、ＴＦＴ１１６に走査信号Ｙｊが供給されると、ＴＦＴ１１６はオン状態となり、当該画素部７０は選択状態となる。液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤ１〜ＶＩＤ６に応じたコントラストをもつ光が出射する。
【００５７】
ここで、保持された画像信号がリークするのを防ぐために、蓄積容量１１９が、液晶素子１１８と並列に付加されている。例えば、画素電極９ａの電圧は、ソース電圧が印加された時間よりも３桁も長い時間だけ蓄積容量１１９により保持されるので、保持特性が改善される結果、高コントラスト比が実現されることとなる。
【００５８】
次に、データ線の駆動に係る主要な構成について、より詳細に図５及び図６を参照して説明する。図５は、データ線の駆動に係る回路構成を示す図である。図６は、画像信号線及びダミー画像信号線のＴＦＴアレイ基板上におけるレイアウトを示す平面図である。
【００５９】
以下では、データ線１１４の駆動に係る主要な構成について、ｎ本のデータ線１１４が、その配列方向に沿って片方向に或いは双方向のうちの一方の方向にデータ線群毎に順次駆動される際、データ線駆動回路１０１から第（ｉ−１）番目、第ｉ番目、及び第（ｉ＋１）番目に出力される３つのサンプリング信号Ｓｉ−１、Ｓｉ、Ｓｉ＋１に基づいて駆動される３つのデータ線群のうち、特に第ｉ番目のサンプリング信号Ｓｉに基づいて駆動される第ｉデータ線群の構成に着目して説明する。尚、以下に説明する第ｉデータ線群に係る構成は、第（ｉ−１）データ線群及び第（ｉ＋１）データ線群についても同様である。
【００６０】
図５において、第ｉデータ線群に属するデータ線１１４ｅ（１１４ｅ−１〜１１４ｅ−６）の配列に対応して、分岐配線１７３のうち６本の分岐配線Ｅ１〜Ｅ６が配列されている。また、６本の画像信号線１７１−１〜１７１−６は、データ線１１４ｅの配列方向に交差する方向に沿って配列されている。そして、６本の分岐配線Ｅ１〜Ｅ６の一端は、６本の画像信号線１７１−１〜１７１−６のうち対応する一本に、夫々電気的に接続されると共に、これら６本の分岐配線Ｅ１〜Ｅ６の他端は夫々サンプリングスイッチ２０２を介してデータ線１１４ｅに電気的に接続される。各サンプリングスイッチを構成するＴＦＴ２０２は、ソースが分岐配線Ｅｋに接続されると共に、ドレインがデータ線１１４ｅに電気的に接続される。また、各ＴＦＴ２０２のゲートは、制御配線Ｘ１〜Ｘ６を介してデータ線駆動回路１０１に電気的に接続されている。尚、制御配線Ｘ１〜Ｘ６には第ｉ番目のサンプリング信号Ｓｉがデータ線駆動回路１０１から供給される。
【００６１】
ＴＦＴアレイ基板１０上において、６本の画像信号線１７１−１〜１７１−６は、例えば、データ線１１４ｅと同一材料の低抵抗のアルミニウム膜によって形成される。また、制御配線Ｘ１〜Ｘ６は、画像信号線１７１−１〜１７１−６と交差する方向であってデータ線１１４ｅの延びる方向に配線され、例えばポリシリコン膜によって形成されている。また、各分岐配線Ｅ１〜Ｅ６は、対応する画像信号線１７１−ｋに電気的に接続される一端側よりデータ線１１４ｅの延びる方向に、配線されている。そして、各分岐配線Ｅ１〜Ｅ１２の一部はサンプリングスイッチ２０２のソース電極を形成し、第ｉデータ線群に属するデータ線１１４ｅの各々の一部はサンプリングスイッチ２０２のドレイン電極を形成し、各制御配線Ｘ１〜Ｘ６の一部はサンプリングスイッチ２０２のゲート電極を形成している。
【００６２】
図６において、本実施形態では特に、ダミー画像信号線１８０−１及び１８０−２は、画像信号線１７１−１〜１７１−６が並走する配線部分において６本の画像信号線の束のうち外側に位置する画像信号線１７１−１及び１７１―６の更に外側に、並走する配線部分に沿って配線されている。ダミー画像信号線１８０−１及び１８０―２は、画像信号線１７１−１〜１７１−６とは異なり、分岐配線１７３を有しておらず、サンプリング回路２００（図５参照）を介してデータ線１１４（図５参照）に対して画像信号ＶＩＤ１〜ＶＩＤ６を供給するようには、接続されてない。即ち、ダミー画像信号線１８０−１及び１８０−２は、あくまで画像信号線を模擬するにとどまり、実際に画像表示のための画像信号を供給していない。また、ダミー画像信号線１８０−１は、６本の画像信号線１７１−１〜１７１−６の束のうち外側である、一方の端から数えて第１番目の画像信号線１７１−１の外側に配線されている。これに加えて、ダミー画像信号線１８０−２は、一方の端から数えて第６番目の画像信号線１８０−６の外側に配線されている。即ち、６本の画像信号線１７１−１〜１７１−６の束の両方の外側に、１本のダミー画像信号線１８０が夫々配線されている。このため、画像信号線１７１−１とダミー画像信号線１８０−１との間に、画像信号線１７１−１と画像信号線１７１−２との間に生ずる容量結合と、殆ど好ましくは完全に同じ大きさの容量結合を発生させることができる。即ち、６本の画像信号線１７１−１〜１７１−６間の容量結合の差異を殆ど好ましくは完全に無くすことができる。尚、本実施形態では、ダミー画像信号線は、画像信号線１７１−１〜１７１−６の束の両側に設けられているが、片側にのみダミー画像信号線を設けてもよい。
【００６３】
更に図６において、本実施形態では特に、ダミー画像信号供給回路５００（図３参照）から外部回路接続端子１０２ｄ１を介して、画像信号線１７１−１に供給される画像信号ＶＩＤ１とは異なるダミー画像信号ＶＩＤｄ１が、ダミー画像信号線１８０−１に供給される。同様に、ダミー画像信号線１８０−２には、ダミー画像信号供給回路５００（図３参照）から外部回路接続端子１０２ｄ２を介して、画像信号線１７１−６に供給される画像信号ＶＩＤ６とは異なるダミー画像信号ＶＩＤｄ２が、供給される。即ち、外側の画像信号線１７１−１及び１７１−６とダミー画像信号線１８０−１及び１８１−２の夫々の電位は相異する。よって、外側の画像信号線１７１−１及び１７１−６とダミー画像信号線１８０−１及び１８１−２との間に、外側の画像信号線１７１−１及び１７１−６に供給される画像信号ＶＩＤ１及びＶＩＤ６と同じダミー画像信号をダミー画像信号線１８０−１及び１８１−２に供給した場合と比較して、容量結合を殆ど確実に発生させることができる。従って、ダミー画像信号線１８０−１及び１８１−２によって画像信号線を模擬することができる。
【００６４】
以上のように、本実施形態によれば、シリアル−パラレル変換した画像信号ＶＩＤ１〜ＶＩＤ６を用いて駆動する際における、６本の画像信号線１７１−１〜１７１−６間の容量結合の差異に起因して各ブロックの境目（即ちデータ線群の境目）で輝度ムラが発生することを防止することができる。
【００６５】
（第２実施形態）
第２実施形態に係る電気光学装置について、図７を参照して説明する。ここに図７は、第２実施形態における図６と同趣旨の平面図である。尚、図７において、図６に示した第１実施形態に係る構成要素と同様の構成要素に同一の参照符合を付し、それらの説明は適宜省略する。
【００６６】
図７において、第２実施形態では特に、ダミー画像信号線１８０−１は、画像信号線１７１−２と電気的に接続されており、画像信号ＶＩＤ２がダミー画像信号ＶＩＤｄ１として供給される。ダミー画像信号線１８０−２は、画像信号線１８０−５と電気的に接続されており、画像信号ＶＩＤ５がダミー画像信号ＶＩＤｄ２として供給される。このため、ダミー画像信号線１８０−１及び画像信号線１７１−１間に、画像信号線１７１−１及び隣接する画像信号線１７１―２との間の容量結合と殆ど又は完全に同じ容量結合を発生させることができる。同様にダミー画像信号線１８０−２及び画像信号線１７１−６間に、画像信号線１７１−６及び隣接する画像信号線１７１−５との間の容量結合と殆ど又は完全に同じ容量結合を発生させることができる。従って、６本の画像信号線間の容量結合の差異を殆ど又は実践的な意味で完全に無くすことができる。更に、外部回路から６個の画像信号ＶＩＤ１〜ＶＩＤ６とは別にダミー画像信号ＶＩＤｄ１及びＶＩＤｄ２を供給するための外部回路接続端子１０２を設ける必要がないので、ＴＦＴアレイ基板１０（図１参照）上の面積を有効に活用することもできる。
【００６７】
更に、ダミー画像信号線１８０ー１は、外側の画像信号１７１ー１に隣接する画像信号線１７１ー２と電気的に接続されている。このため、画像信号線１７１ー２より内側の画像信号線１７１ー３、１７１ー４、１７１ー５或いは１７１ー６と電気的に接続する場合と比較して、ダミー画像信号線１８０ー１と交差する画像信号線の本数を少なくすることができる。即ち、配線の複雑化を招かずに、ダミー画像信号線１８０−１を外側の画像信号線１７１ー１以外と接続することができる。更に、外側の画像信号線１７１ー１と、これ以外の画像信号線１７１ー２、１７１ー３、１７１ー４、１７１ー５及び１７１ー６との間に容量結合の差異が発生することを防止できる。従って、外側の画像信号線１７１ー１以外の画像信号線１７１ー２、１７１ー３、１７１ー４、１７１ー５及び１７１ー６に供給される画像信号ＶＩＤ２〜ＶＩＤ６の劣化の度合いが、不均一になることを防止できる。
【００６８】
ダミー画像信号線１８０ー２は、外側の画像信号１７１ー６に隣接する画像信号線１７１ー５と電気的に接続されている。このため、画像信号線１７１ー５より内側の画像信号線１７１ー４、１７１ー３、１７１ー２或いは１７１ー１と電気的に接続する場合と比較して、ダミー画像信号線１８０ー２と交差する画像信号線の本数を少なくすることができる。即ち、配線の複雑化を招かずに、ダミー画像信号線１８０−２を外側の画像信号線１７１ー６以外と接続することができる。更に、外側の画像信号線１７１ー６と、これ以外の画像信号線１７１ー５、１７１ー４、１７１ー３、１７１ー２及び１７１ー１との間に容量結合の差異が発生することを防止できる。従って、外側の画像信号線１７１ー６以外の画像信号線１７１ー５、１７１ー４、１７１ー３、１７１ー２及び１７１ー１に供給される画像信号ＶＩＤ１〜ＶＩＤ５の劣化の度合いが不均一になることを防止できる。
【００６９】
（電子機器）
次に、上述した電気光学装置である液晶装置を各種の電子機器に適用する場合について説明する。
【００７０】
まず、この液晶装置をライトバルブとして用いたプロジェクタについて説明する。図８は、プロジェクタの構成例を示す平面図である。この図８に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００７１】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００７２】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００７３】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００７４】
次に、液晶装置を、モバイル型のパーソナルコンピュータに適用した例について説明する。図９は、このパーソナルコンピュータの構成を示す斜視図である。図９において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００７５】
さらに、液晶装置を、携帯電話に適用した例について説明する。図１０は、この携帯電話の構成を示す斜視図である。図１０において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００７６】
尚、図８から図１０を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００７７】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００７８】
【図１】第１実施形態に係る液晶パネルの全体構成を示す平面図である。
【図２】図１のＨ−Ｈ’断面図である。
【図３】第１実施形態に係る液晶装置の全体構成を示すブロック図である。
【図４】第１実施形態に係る液晶パネルの電気的な構成を示すブロック図である。
【図５】第１実施形態に係るデータ線の駆動に係る回路構成を示す図である。
【図６】第１実施形態に係る画像信号線及びダミー画像信号線のレイアウトを示す平面図である。
【図７】第２実施形態における図６と同趣旨の平面図である。
【図８】液晶装置を適用した電子機器の一例たるプロジェクタの構成を示す平面図である。
【図９】液晶装置を適用した電子機器の一例たるパーソナルコンピュータの構成を示す斜視図である。
【図１０】液晶装置を適用した電子機器の一例たる携帯電話の構成を示す斜視図である。
【符号の説明】
【００７９】
１０ａ…画像表示領域、１０…ＴＦＴアレイ基板、２０…対向基板、７０…画素部、１００…液晶パネル、１０２、１０２ｄ１、１０２ｄ２…外部回路接続端子、１０１…データ線駆動回路、１０４…走査線駆動回路、１１２…走査線、１１４…データ線、１７１…画像信号線、１８０…ダミー画像信号線、２００…サンプリング回路、２０２…サンプリングスイッチ、５００…ダミー画像信号供給回路、ＶＩＤ１〜ＶＩＤ１２…画像信号、ＶＩＤｄ１、ＶＩＤｄ２…ダミー画像信号
【図１】
2006267796.tif 000003
【図２】
2006267796.tif 000004
【図３】
2006267796.tif 000005
【図４】
2006267796.tif 000006
【図５】
2006267796.tif 000007
【図６】
2006267796.tif 000008
【図７】
2006267796.tif 000009
【図８】
2006267796.tif 000010
【図９】
2006267796.tif 000011
【図１０】
2006267796.tif 000012